(57)【要約】      （修正有）【課題】転写不良と尾引き画像の発生を防止するとともに案内部材の汚れを防止する。【解決手段】トナー像を担持する像担持体と、前記像担持体に担持されたトナー像を記録媒体に転写させる転写手段と、前記転写手段に電圧を印加する電圧印加手段と、記録媒体を前記転写手段へ案内すると共に、記録媒体が接触可能で前記転写手段との電位差が該転写手段と前記像担持体のトナー像を担持する箇所との電位差より小さい導電性を有する第1の領域と、前記像担持体のトナー像を担持する箇所に対してトナーと同極性の電圧を付与する第２の領域と、前記第１の領域と前記第２の領域の導通を遮断する絶縁層と、を備える案内手段と、を有し、前記案内手段は、前記像担持体側から前記記録媒体が接触する側へ前記第１の領域、前記絶縁層、前記第２の領域の順に配置され、前記絶縁層の端部は、前記第１の領域の先端よりも前記像担持体へ向けて突出している。【選択図】図３
2017072820.tif 000002
【特許請求の範囲】
【請求項１】
トナー像を担持する像担持体と、
前記像担持体に担持されたトナー像を記録媒体に転写させる転写手段と、
前記転写手段に電圧を印加する電圧印加手段と、
記録媒体を前記転写手段へ案内すると共に、記録媒体が接触可能で前記転写手段との電位差が該転写手段と前記像担持体のトナー像を担持する箇所との電位差より小さい導電性を有する第1の領域と、前記像担持体のトナー像を担持する箇所に対してトナーと同極性の電圧を付与する第２の領域と、前記第１の領域と前記第２の領域の導通を遮断する絶縁層と、を備える案内手段と、
を有し、
前記案内手段は、前記像担持体側から前記記録媒体が接触する側へ前記第１の領域、前記絶縁層、前記第２の領域の順に配置され、
前記絶縁層の端部は、前記像担持体から前記第一の領域の像担持体側先端部に向けて飛来するトナーを遮るよう、前記第１の領域の先端よりも前記像担持体へ向けて突出していることを特徴とする画像形成装置。
【請求項２】
前記第２の導電性部材に対する前記絶縁層の前記像担持体に近い側の端部からの突出量をＬとし、前記第２の導電性部材の前記像担持体に近い側において記録媒体が接触する接触面側の端部と前記像担持体の表面上で前記第２の導電性部材との最近点とを結ぶ直線と前記第２の導電性部材の前記像担持体に近い側の端面とのなす角度をθとし、前記第２の導電性部材の厚みをｄとし、前記像担持体と前記第２の導電性部材との距離をＤとした時、ＬをＤ＞Ｌ≧ｄ×tanθの範囲とすることを特徴とする請求項１に記載の画像形成装置。
【請求項３】
前記第１の導電性部材に前記トナーと同極性の電圧を印加する電圧印加手段と、
前記像担持体に静電潜像を形成するために前記像担持体を露光する露光手段と、
前記像担持体の前記露光手段によって露光された部分と前記第１の導電性部材との間の電界により前記トナーに前記像担持体に向かう方向の力が加わるように前記第１の導電性部材に電圧を印加する制御手段と、
を有することを特徴とする請求項１又は２に記載の画像形成装置。
【請求項４】
前記第２の導電性部材は、接地されていることを特徴とする請求項１乃至請求項３の何れか一項に記載の画像形成装置。
【請求項５】
前記制御手段は、前記転写手段と前記像担持体の前記露光手段によって露光された部分との間の電位差を、前記転写手段と前記案内手段の記録媒体が接触する接触面との間の電位差よりも大きくすることを特徴とする請求項３又は請求項４に記載の画像形成装置。
【発明の詳細な説明】
【技術分野】
【０００１】
本発明は、搬送される記録媒体を転写領域に案内する案内部材を有する画像形成装置に関する。
【背景技術】
【０００２】
複写機、プリンタ、ファクシミリ装置等の電子写真プロセスを利用した画像形成装置にあっては、予め一様に帯電した感光体ドラム上に画像情報に基づいてレーザ光を照射することにより得た静電潜像を現像装置から供給されるトナーにより現像する。そして、感光体ドラム上のトナー像は、転写ローラにより記録媒体に転写され、その後、加熱定着されて記録媒体上に画像が形成される。
【０００３】
ところで、感光体ドラムと転写ローラとにより形成される転写領域（転写ニップ）へ記録媒体を搬送する際に、感光体ドラムに記録媒体を接触させることで、画像品質が向上することが知られている。
【０００４】
このように、感光体ドラムへの記録媒体の接触が、画像品質に対し影響を持っていることから、案内部材によって感光体ドラムへの記録媒体の接触位置を規定することが多い。案内部材の端部は、感光体ドラムへのガイドとして使用しており、感光体ドラムの直近に配置される。
【０００５】
このような構成では、転写領域から転写中の記録媒体を介して案内部材へ転写電流の流れ込みが発生することで転写不良が発生する。
【０００６】
特許文献１では、この転写電流の流れ込みを防止するために、バイアスが印加された導電性部材と、導電性部材の表面に絶縁体を貼り付けた構成の転写案内部材が開示されている。
【先行技術文献】
【特許文献】
【０００７】
【特許文献１】特開平１０−２６０５９５号公報
【発明の概要】
【発明が解決しようとする課題】
【０００８】
しかしながら、このように導電性部材の通紙面に絶縁体（誘電体）を設けると記録媒体との接触により絶縁体が摩擦帯電する。この帯電により感光体ドラムと転写案内部材との間に電位差が生じる。この電位差によって感光体ドラムの未転写トナーが転写案内部材に引き付けられて付着し、転写案内部材に付着したトナーが転写案内部材に案内される記録媒体の端部等に付着することで記録媒体のトナー汚れが発生する。さらに、摩擦帯電によって記録媒体自体が未転写トナーと逆極性に帯電することで、感光体ドラムと転写装置とのニップより上流で未転写トナーが、記録媒体に付着し、尾引き画像が発生する。
【０００９】
本発明は、以上のような問題点に鑑みてなされたものであり、転写不良を防止しつつ尾引き画像、トナー汚れの発生を防ぐことを目的とする。
【課題を解決するための手段】
【００１０】
この目的を達成するため、本発明の画像形成装置は、トナー像を担持する像担持体と、前記像担持体に担持されたトナー像を記録媒体に転写させる転写手段と、前記転写手段に電圧を印加する電圧印加手段と、記録媒体を前記転写手段へ案内すると共に、記録媒体が接触可能で前記転写手段との電位差が該転写手段と前記像担持体のトナー像を担持する箇所との電位差より小さい導電性を有する第1の領域と、前記像担持体のトナー像を担持する箇所に対してトナーと同極性の電圧を付与する第２の領域と、前記第１の領域と前記第２の領域の導通を遮断する絶縁層と、を備える案内手段と、を有し、前記案内手段は、前記像担持体側から前記記録媒体が接触する側へ前記第１の領域、前記絶縁層、前記第２の領域の順に配置され、前記絶縁層の端部は、前記像担持体から前記第一の領域の像担持体側先端部に向けて飛来するトナーを遮るよう、前記第１の領域の先端よりも前記像担持体へ向けて突出していることを特徴とする。
【発明の効果】
【００１１】
本発明によれば、転写不良を防止しつつ尾引き画像、トナー汚れの発生を防止することができる。
【図面の簡単な説明】
【００１２】
【図１】本発明の実施形態の画像形成装置の概略を示す図である。
【図２】本発明の実施形態の画像形成装置の各部に高圧を供給するための高圧制御部の構成を示すブロック図である。
【図３】本発明の実施形態の転写前上ガイド及びその周辺の構成を示す図である。
【図４】比較例１の転写前上ガイド及びその周辺の構成を示す図である。
【図５】比較例２の転写前上ガイド及びその周辺の構成を示す図である。
【図６】本発明の実施形態の通紙推移での効果を比較例１、２と比較したグラフである。
【図７】本発明の実施形態の感光体ドラムと転写前上ガイドの配置を示す図である。
【発明を実施するための形態】
【００１３】
(実施例１)
以下、図面を参照しつつ、本発明の実施形態について詳細に説明する。尚、以下の実施形態に記載されている構成要素はあくまでも例示であり、本発明の範囲をそれらのみに限定する趣旨のものではない。
【００１４】
＜画像形成装置の概略構成＞
図１は、本発明の実施形態の画像形成装置１００の概略を示す図である。
【００１５】
記録媒体カセット１７内の記録媒体１６は、給紙ローラ１５の回転によって給紙され、搬送ローラ対８によって搬送される。さらに、記録媒体１６は、レジストローラ対１０によって感光体ドラム１（像担持体）上に形成されたトナー像に合わせて、転写ローラ５と感光体ドラム１との間のニップに供給される。
【００１６】
記録媒体１６が転写ローラ５（転写部材）と感光体ドラム１との間のニップに供給される際に、記録媒体１６は、転写前下ガイド２０と転写前上ガイド１８０（案内部材）とによりガイド（案内）される。
【００１７】
感光体ドラム１上へのトナー像の形成は次のように実行される。まず感光体ドラム１の表面が帯電ローラ２により均一に帯電される。帯電後の感光体ドラム１の表面に、露光装置３（露光手段）により露光が行われ、潜像が形成される。この潜像に現像装置４からトナーを付着させ潜像は、トナー像として現像される。
【００１８】
感光体ドラム１上のトナー像は転写ローラ５により記録媒体１６上に転写され、記録媒体１６上に転写しきれないで感光体ドラム１上に残ったトナーはクリーナ７によって除去される。一方、トナー像が転写された記録媒体１６は、分離除電針６と、感光体ドラム１の曲率の作用とにより感光体ドラム１から分離される。記録媒体１６表面に１面目の未定着トナー像を担持した状態で、定着装置１４に搬送され、加圧ローラ１１と定着フィルム１２とによりトナー像が定着される。その後、排紙ローラ１３により記録媒体１６は排出される。
【００１９】
次に、画像形成装置の動作を、帯電、露光、転写、転写、定着、クリーニングの順に沿って説明する。
【００２０】
（帯電）帯電ローラ２は、感光体ドラム１に接触している。帯電ローラ２には、高圧電源部から所定の直流電圧（ＤＣ帯電方式）、あるいは所定の直流電圧と所定の交流電圧を重畳した電圧（ＡＣ＋ＤＣ帯電方式）が金属軸を通して帯電バイアスとして印加される。これにより、所定の速度で回転駆動している感光体ドラム１の表面が所定の極性・電位に一様に接触帯電される。本実施形態においては、感光体ドラム１の表面が−５００Vに帯電される。
【００２１】
（露光）帯電後の感光体ドラム１の表面は、画像情報に基づいて露光装置３によって画像露光がなされ、静電潜像が形成される。なお、本実施形態では、半導体レーザ（波長７８０ｎｍ）の走査露光によって露光がなされているが、ＬＥＤアレイによる露光であっても良い。
【００２２】
（現像）露光によって形成された感光体ドラム１上の静電潜像は現像装置４によって現像される。現像装置４は、現像スリーブを有している。この現像スリーブに高圧電源部から所定の直流電圧と所定の交流電圧を重畳した現像バイアス（ＡＣ＋ＤＣ帯電方式）を印加して感光体ドラム１上の静電潜像にトナーを付着させ静電潜像は、トナー像として現像される。
【００２３】
（転写）感光体ドラム１上に現像されたトナー像は感光体ドラム１の回転駆動によって転写ローラ５との間のニップ部まで回転移動する。このタイミングに合わせて記録媒体カセット１７に収納されている記録媒体１６は、給紙ローラ１５や搬送ローラ対８によって搬送され、感光体ドラム１と転写ローラ５との間の転写ニップ部に搬送される。そして、転写ニップ部に記録媒体１６が搬送されるタイミングで転写ローラ５に現像剤と反対極性の所定の直流電圧、あるいは所定の直流電圧と所定の交流電圧を重畳した電圧が印加される。これにより、感光体ドラム１に付着したトナー像が記録媒体１６に順次静電的に転写される。本実施形態ではトナーは、マイナス極性であり、その逆極性に当たるプラスの直流電圧が転写ローラ５に印加される。本実施形態においては感光体ドラム１と接触する接触転写ローラ方式を用いているが、他にも転写ベルトにトナー像を転写させた後に記録媒体１６へ転写させる中間転写ベルト方式でも構わない。
【００２４】
（定着）静電的にトナー像を担持した記録媒体１６は、定着装置１４に搬送される。定着装置１４は、トナーを加熱する加熱部材と、この加熱部材を内包する筒状の回転体である定着フィルム１２と、この定着フィルム１２を加圧する加圧ローラ１１とを有する。トナーが定着された記録媒体１６は排紙トレイに排出される。
【００２５】
（クリーニング）一方、記録媒体１６に転写されないで感光体ドラム１の表面に残ったトナーは、クリーナ７のクリーニングブレードによって除去される。
【００２６】
以上の動作を繰り返すことで、次々と画像形成が行われる。
【００２７】
＜高圧制御部の構成＞
図２は、画像形成装置１００の各部に高圧を供給するための高圧制御部の構成を示すブロック図である。
【００２８】
同図に示すように、分離高圧回路２４は、分離除電針６に高圧を供給するための回路である。転写高圧回路２５（第１の電圧印加手段）は、転写ローラ５に高圧を供給するための回路である。上ガイド高圧回路２６（第２の電圧印加手段）は、転写前上ガイド１８０に高圧を供給するための回路である。
【００２９】
メモリ２１には、分離除電針６、転写ローラ５、転写前上ガイド１８０に供給する高圧値のデータが記憶されている。ＣＰＵ２２がメモリ２１から参照した高圧値のデータを参照して高圧制御コントローラ２３に転送することで、転写高圧回路２５と分離高圧回路２４と上ガイド高圧回路２６の出力を変化させることができるようになっている。
【００３０】
＜転写前上ガイドの構成＞
図３は、転写前上ガイド１８０及びその周辺の構成を示す図である。
【００３１】
同図に示すように、転写前上ガイド１８０は、転写前の記録媒体１６が転写ニップに供給される際に感光体ドラム１の所定位置に当接するようにガイドしている。転写前上ガイド１８０は、導電性部材１８１（第１の導電性部材）と導電性部材１８３（第２の導電性部材）との間に絶縁性部材１８２（絶縁層）が設けられて構成されている。感光体ドラム１に近い側の導電性部材１８１には、上ガイド高圧回路２６からトナーと同極性の高圧が供給される。一方、感光体ドラム１から遠い側に設けられ、記録媒体１６が接触する導電性部材１８３は、接地されている。
【００３２】
（感光体ドラム１の電位）感光体ドラム１が帯電ローラ２により、白部電位（Ｖｄ）＝−５００Ｖに一様に帯電されている。露光装置３により画像情報に基づいて露光され、画像が形成される部分は黒部電位（ＶＬ）＝−２００Ｖとなるように静電潜像が形成される。そして、黒部電位（ＶＬ）＝−２００Ｖの部分にネガ（マイナス）トナーが付着することで静電潜像が現像される。
【００３３】
（転写前上ガイドへ電圧の印加）
感光体ドラム１の表面に現像されたネガトナーが転写される前に転写前上ガイド１８０に付着すると転写前上ガイド１８０に案内される記録媒体１６にトナー汚れが発生する。このトナー汚れを防ぐため、転写前上ガイド１８０の導電性部材１８１にネガトナーと同極性のマイナスバイアスを印加する。本実施形態の場合には、転写前上ガイド１８０に、感光体ドラム１の白部電位（Ｖｄ）及び黒部電位（ＶＬ）よりも絶対値が大きい−７００Ｖを上ガイド高圧回路２６により印加している。すなわち、導電性部材１８１と感光体ドラム１の黒部電位（ＶＬ）との間で形成される電界によりネガトナーに感光体ドラム１の方向の力が加わるようにしている。これによりトナーが転写前上ガイド１８０に付着し難くなる。
【００３４】
（転写ローラへの電圧の印加）
また、感光体ドラム１の黒部電位（ＶＬ）の部分から転写ローラ５に向かう力がネガトナーに加わるように、本実施形態では、転写ローラ５に＋５００Ｖのプラスバイアス（ＶＴ）を印加している。このバイアスにより、感光体ドラム１上のネガトナーは、記録媒体１６上に転写される。
【００３５】
一方、転写前上ガイド１８０の通紙面の部材である導電性部材１８３は接地されているため、０Ｖが印加されていることになる。一般的には、導電性部材１８３を接地させずに、所定の電位を加えるようにすることも可能である。そこで、導電性部材１８３の電位を一般的に（ＶＣ）とする。転写ローラ５と感光体ドラム１の黒部電位との間の電位差（ＶＴ−ＶＬ）が転写ローラ５と導電性部材１８３との間の電位差（ＶＴ−ＶＣ）よりも小さくなると転写ローラ５からの転写電流が記録媒体１６を伝わり転写前上ガイド１８０の導電性部材１８３に漏れる。これにより、転写ローラ５から感光体ドラム１への転写電流が不足し、ネガトナーを記録媒体１６上に転写できなくなる転写不良が発生する。そこで、（ＶＴ−ＶＬ）＞（ＶＴ−ＶＣ）となるようにして転写電流が記録媒体１６を介して導電性部材１８３に漏れないようにする。これにより転写不良の発生を防止することができる。
【００３６】
導電性部材１８３を接地した場合には、ＶＣ＝０Ｖであるので、（ＶＴ−ＶＬ）＞（ＶＴ）すなわち、ＶＬ＜０であれば良い。つまり、ＶＬが負の電位であれば良いことになる。
【００３７】
本実施形態では、ＶＣ＝０Ｖ、ＶＬ＝−２００Ｖとしている。
【００３８】
なお、温湿度環境の変化により感光体ドラム１及び転写ローラ５に印加する電圧を変化させる場合であっても（ＶＴ−ＶＬ）＞（ＶＴ−ＶＣ）という状態が維持されるように制御される。
【００３９】
また、本実施形態では、導電性部材１８１には、−７００Ｖが上ガイド高圧回路２６により印加されており、導電性部材１８３は、接地されて０Ｖとなっている。このため、導電性部材１８３は、導電性部材１８１に比べてプラス側の電位となっており、感光体ドラム１上のネガトナーが導電性部材１８１を飛び越えて直接、導電性部材１８３に付着する懸念がある。このため、本実施形態では、転写前上ガイド１８０の感光体ドラム１に近い側の端部において、導電性部材１８１、導電性部材１８３のそれぞれの端部１８１ａ、１８３ａよりも絶縁性部材１８２の端部１８２ａの方が突出するように構成されている。絶縁性部材１８２の突出した端部１８２ａにより導電性部材１８３に直接、ネガトナーが付着することを防止することが可能である。
【００４０】
転写前上ガイド１８０の通紙面（接触面）に導電性部材１８３を設けることで、記録媒体１６と転写前上ガイド１８０との接触による摩擦帯電を防ぎ、記録媒体１６が帯電した際に発生する尾引き画像を防ぐ事ができる。
【００４１】
また、導電性部材１８１に−７００Ｖが上ガイド高圧回路２６により印加されており、導電性部材１８３は接地されているので、導電性部材１８１と導電性部材１８３との間は絶縁されている必要がある。本実施形態では、導電性部材１８１と導電性部材１８３との間は、絶縁性部材１８２によって絶縁しているが、空気層によって絶縁するようにしても良い。
【００４２】
図４は、比較例１の転写前上ガイド及びその周辺の構成を示す図である。
【００４３】
同図に示すように、本実施形態の図３に示す構成の転写前上ガイド１８０の替りに転写前上ガイド２１０が設けられ、−７００Ｖが供給されている。他の構成は、実施形態１と同様である。この比較例１では、転写ニップから転写中の記録媒体１６を介して転写前上ガイド２１０に転写電流の流れ込みが生じ、転写不良が発生する。
【００４４】
図５は、比較例２の転写前上ガイド及びその周辺の構成を示す図である。
【００４５】
同図に示すように、本実施形態の図３に示す構成の転写前上ガイド１８０の替わりに転写前上ガイド３１０が設けられ、−７００Ｖが供給されている。転写前上ガイド３１０は、導電性部材３１１と絶縁性部材３１２とから構成され、−７００Ｖは、導電性部材３１１に供給されている。他の構成は、実施形態１と同様である。この比較例２では、転写前上ガイド３１０の通紙面に絶縁性部材３１２を配置している為、絶縁性部材３１２と搬送される記録媒体とが接触し、接触による摩擦帯電によって記録媒体自体が帯電する。これにより、転写ニップより上流で感光体ドラム１のトナーが、帯電した記録媒体１６に付着する事で尾引き画像が発生する。
【００４６】
一方、本実施形態で示したような構成では、電位の関係（ＶＴ−ＶＬ）＞（ＶＴ−ＶＣ）となるようにして転写電流の漏れを防いでおり、転写不良を防止することができるとともに摩擦帯電も生じないことから尾引き画像を防止することが可能である。
【００４７】
図６は、本実施形態の通紙推移での効果を比較例１、２と比較したグラフである。
【００４８】
横軸に通紙枚数を示し、縦軸には尾引き画像において尾引いている距離を数値化した値を示している。
【００４９】
尾引きは７以上になると尾引き画像が認識できるようになりＮＧレベルとなる。比較例２は、通紙面に絶縁性部材３１２を貼り付けている為、通紙枚数が進むと絶縁性部材３１２と記録媒体１６が摩擦帯電し、記録媒体１６がプラスに帯電する事で尾引きが悪化する。比較例１は、導電性部材からなる転写前上ガイド２１０にマイナスバイアスを印加している為、尾引きの悪化度合いは比較例２より小さい。
【００５０】
本実施形態では転写前上ガイド１８０の通紙面に、接地された導電性部材１８３を設けている為、記録媒体１６が帯電する事はなく尾引きはＮＧラインに達することはない。
【００５１】
なお、特許文献1で示した構成では、導電性部材の表面全体に絶縁体を貼り付けた構成の案内部材が用いられている。このように、導電性部材の表面全体に絶縁体を貼り付けた場合には、感光体ドラムの側の面の絶縁性部材が帯電することにより感光体ドラム１上のトナーが案内部材に付着しやすくなる。本実施形態では、転写前上ガイド１８０の感光体ドラム１の側の面には、導電性部材１８１が設けられており、絶縁性部材が帯電することによるトナーの付着は発生し難い。
【００５２】
このように、本実施形態では、転写不良と尾引き画像の発生を防止しつつ、案内部材のトナー汚れを防ぐ事ができる。
【００５３】
なお、本実施形態では、像担持体として感光体ドラム１を使用する場合について説明したが、像担持体として中間転写ベルトを用いた構成とすることもできる。これは他の実施例においても同様である。
【００５４】
（実施例２）
つぎに、図７を用いて導電性部材端部１８３ａに対する絶縁性部材１８２の突出量を調整する第２の実施形態について説明を行う。なお、前記第１実施形態と同様に構成したものは同一の符号、或いは符号が異なっても同一の部材名を付して説明を省略する。
【００５５】
図７は、本発明の実施形態の感光体ドラム１と転写前上ガイド１８０の配置を示す図である。
【００５６】
導電性部材端部１８３ａに対する絶縁性部材１８２の突出量Ｌが大きすぎると、絶縁性部材１８２の先端が感光ドラム１の表面に接触してトナー像を乱してしまう。
そこで、図７に示すように、感光ドラム１円周上の導電性部材１８３からの最近点をＡ、導電性部材端部１８３ａをＢとして形成される線分ＡＢの長さをＤとし、Ｄ＞Ｌとなるように突出量Ｌを設定する。これにより、絶縁性部材１８２の先端が感光ドラム１の表面に接触するのを防ぐことが出来る。
【００５７】
一方、突出量Ｌが小さすぎると、導電性部材１８３へのネガトナーの付着を防ぐことが出来なくなる。これは、導電性部材１８３の厚みによっては、導電性部材端部１８３ａと感光ドラム１との間の電位差で生じる電気力線によって感光ドラム１から飛来するネガトナーを、絶縁性部材１８２で遮ることが出来なくなるためである。
【００５８】
そこで、図７に示すように、線分ＡＢと導電性部材１８３の端面とのなす角度をθ、線分ＡＢの長さをＤ、絶縁性部材１８２の厚さをｄとし、Ｌ≧ｄ×ｔａｎθとなるよう絶縁性部材１８２の突出量Ｌを設定する。これにより、導電性部材１８３へのネガトナーの付着を防ぐことが出来る。
【００５９】
このように、本実施形態では、導電性部材端部１８３ａに対する絶縁性部材１８２の突出量Ｌを調整することにより、感光ドラム１上のトナー像が乱れたり導電性部材１８３にネガトナーが付着したりするのを防ぐことが可能となる。
【符号の説明】
【００６０】
１…感光体ドラム
３…露光装置
５…転写ローラ
１６…記録媒体
２２…ＣＰＵ
２５…転写高圧回路
２６…上ガイド高圧回路
１００…画像形成装置
１８０…転写前上ガイド
１８１…導電性部材
１８１ａ…端部
１８２…絶縁性部材
１８２ａ…端部
１８３…導電性部材
１８３ａ…端部
【図１】
2017072820.tif 000003
【図２】
2017072820.tif 000004
【図３】
2017072820.tif 000005
【図４】
2017072820.tif 000006
【図５】
2017072820.tif 000007
【図６】
2017072820.tif 000008
【図７】
2017072820.tif 000009